(57)【要約】【課題】  ホースの端部に設けた雄金具と雌金具とを着脱可能に連結させるホースの継手金具において、雄金具と雌金具とを分離させてコイル状に巻回させたホースの間から雄金具が脱落するのを防止する。【解決手段】  雄金具10に設けた係合筒部11を雌金具20の内部に挿入させて両金具を連結させる一方、係合筒部11の外周側で、筒部12aとフランジ部12bとを有する解除リング12を雌金具側に摺動させて雄金具を雌金具と分離させる継手金具において、前記のフランジ部の対向する位置に筒部より外方に突出した張り出し部12b1を設け、この張り出し部間に張り出し部よりも突出量が少なくなった切り欠き部12b2を設けると共に、解除リングが係合筒部の外周において回転するのを抑制する回転抑制手段30を設けた。【選択図】  図５
2020069092.tif 000002
【特許請求の範囲】
【請求項１】
ホースの端部に設けられた雄金具と雌金具とを着脱可能に連結させるホースの継手金具において、
前記の雄金具に前記の雌金具の内部に挿入させる筒状の係合筒部を設け、
この係合筒部の挿入側端部に係合段部を設ける一方、
前記の雌金具の内面側に前記の係合段部に係合される係合片を出没可能に設けると共に、
前記の雄金具における係合筒部の外周側で摺動して係合段部に係合された雌金具の係合片を解除する解除リングとして、
係合筒部の外周において係合段部との間で摺動する筒部における前記の係合段部と反対側にフランジ部を設け、
このフランジ部に切り欠き部を設けたものを用い、
前記の解除リングが前記の係合筒部の外周において回転するのを抑制する回転抑制手段を設けたことを特徴とするホースの継手金具。
【請求項２】
請求項１に記載のホースの継手金具において、前記の回転抑制手段として、前記の係合筒部の外周面と解除リングの内周面との何れか一方に係合凸部を設けると共に、他方に前記の係合凸部に係合される係合凹部とを設けたことを特徴とするホースの継手金具。
【請求項３】
請求項１に記載のホースの継手金具において、前記の回転抑制手段として、前記の係合筒部の外周面と解除リングの内周面とにそれぞれ係止部材挿入溝を対向するように設け、対向して設けられた前記の係止部材挿入溝内に係止用部材を挿入させたことを特徴とするホースの継手金具。
【請求項４】
請求項１に記載のホースの継手金具において、前記の回転抑制手段として、前記の係合筒部と解除リングとに、係合筒部と解除リングとを解除可能に係止させる仮係止部材を設けたことを特徴とするホースの継手金具。
【請求項５】
請求項１に記載のホースの継手金具において、前記の回転抑制手段として、前記の雄金具から前記の係合筒部に向けて回転抑制部材を、前記の解除リングにおける切り欠き部に対向するように突出させ、この回転抑制部材により切り欠き部を介して解除リングの回転を抑制することを特徴とするホースの継手金具。
【発明の詳細な説明】
【技術分野】
【０００１】
本発明は、ホースの継手金具に関するものである。特に、ホースの一端に筒状になった雄金具を設ける一方、接続させるホースの一端に筒状になった雌金具を設け、前記の雄金具と雌金具とを着脱可能に連結させるようにした消防用ホースに使用されるホースの継手金具に関するものであり、前記の雄金具には筒状になった係合筒部を設けると共に、この係合筒部に外周側に解除用リングを摺動可能に設け、前記の雄金具の係合筒部を前記の雌金具の内部に挿入させるようにして雄金具と雌金具とを連結させる一方、雄金具と雌金具とを分離させるにあたり、係合筒部に設けた前記の解除用リングを雌金具に向けて移動させて、雄金具を雌金具から離脱させるようにしたホースの継手金具に関するものである。
【背景技術】
【０００２】
従来から、消防用ホースを使用するにあたり、ホースを連結させたり、このように連結させたホースを分離させるたりするのにホースの継手金具が使用されていた。
【０００３】
そして、前記のようなホースの継手金具として、従来においては、図１に示すように、一方のホースｈの一端に筒状になった雄金具１０を設ける一方、他方のホースｈの一端に筒状になった雌金具２０を設けたものを用い、前記の雄金具１０と雌金具２０とを着脱可能に連結させるようにしている。
【０００４】
ここで、前記の雌金具２０においては、その内面に出没可能の係合片２１を設け、この係合片２１をばね手段２２により常時内方に突出するよう付勢させている。一方、前記の雄金具１０においては、前記の雌金具２０内に挿入される係合筒部１１の先端側に径大になった係合段部１１ａを形成すると共に、この係合筒部１１の外周において前記の係合段部１１ａとの間で摺動する解除リング１２を設けるようにしている。
【０００５】
ここで、この解除リング１２においては、内径が係合筒部１１の外径よりも大きい一方、前記の係合段部１１ａの外径よりも小径になった筒部１２ａを係合筒部１１の外周側に摺動可能に設けると共に、この筒部１２ａにおいて、前記の係合段部１１ａと反対側の位置に、この筒部１２ａよりも大径になったフランジ部１２ｂを設けている。
【０００６】
そして、このようなホースの継手金具においては、図１に示すように、前記の雄金具１０に設けた係合筒部１１の先端側における径大になった係合段部１１ａから係合筒部１１を雌金具２０の内部に挿入させ、前記の径大になった係合段部１１ａによって雌金具２０の内面に出没可能に設けられた前記の係合片２１をばね手段２２の弾力に抗して外方に押し広げ、前記の係合段部１１ａが雌金具２０の内部における前記の係合片２１の部分を通過して挿入された時点で、前記の係合片２１が前記のばね手段２２により内方に突出されて係合段部１１ａの後端における係合筒部１１に係合され、雄金具１０と雌金具２０とが連結されるようにしている。
【０００７】
また、このように雄金具１０と雌金具２０とを連結させた状態で、前記の雌金具２０の内部に設けたパッキン２３により水密性を保持させるようにしている。さらに、前記の雌金具２０の外周には、ゴム製の緩衝用リング２４を装着させている。
【０００８】
そして、前記のように連結された雄金具１０と雌金具２０との連結を解除させるにあたっては、雄金具１０における係合筒部１１の外周側に摺動可能に設けた解除リング１２における前記のフランジ部１２ｂを雌金具２０側に向けて押し、この解除リング１２における前記の筒部１２ａを雌金具２０内に押し込んで、この筒部１２ａの先端部により、係合段部１１ａの後端における係合筒部１１に係合されていた前記の係合片２１をばね手段２２の弾力に抗して外方に押し広げ、これにより係合片２１を係合段部１１ａの後端における係合筒部１１から離脱させて、雄金具１０と雌金具２０との連結を解除するようにしている。
【０００９】
また、前記の雄金具１０と雌金具２０とを連結させる連結側とは反対側の端部にそれぞれホースｈを取り付けるにあたっては、雄金具１０や雌金具２０における連結側とは反対側の端部にそれぞれ外周に凹凸を有する取付筒部１５，２５を設け、各取付筒部１５，２５をそれぞれのホースｈの端部内に挿入させ、このように各取付筒部１５，２５を挿入させた各ホースｈの外周側にそれぞれ筒状になった口巻き布１６，２６を設け、このように設けた各口巻き布１６，２６を外周側から押さえ付ける各固定用筒体１７，２７を設けている。そして、前記の雄金具１０や雌金具２０における取付筒部１５，２５が挿入された前記の各ホースｈの端部を、前記の各固定用筒体１７，２７により外周側からに押さえ付けるようにして、前記の口巻き布１６、２６を介して雄金具１０や雌金具２０における各取付筒部１５，２５に取り付けるようにしている。
【００１０】
ここで、前記の雄金具１０において、その係合筒部１１の外周側に摺動可能に設けた解除リング１２における前記のフランジ部１２ｂとしては、一般に円形リング状のものが使用されており、雄金具１０と雌金具２０との連結を解除させた状態では、前記のフランジ部１２ｂが雄金具１０の外周から大きく突出した状態になっている。
【００１１】
そして、一般に使用される消防用ホースにおいては、ホースｈの一端側に前記のようにして雄金具１０を設けると共に、ホースｈの他端側に前記のようにして雌金具２０を設けたものが使用されており、このような消防用のホースを収納する場合には、図２（Ａ）に示すように、前記の雄金具１０と雌金具２０との連結を解除させたホースｈを前記の雄金具１０を中心にしてコイル状に巻回させた状態で収納している。雄金具１０を中心にするのは、ホースｈの基端となる消防自動車には雄金具が装備されているので、雌金具を手前にして巻回されたホースｈを展張できるようにするためである。
【００１２】
巻回させたホースｈを使用する場合には、巻回させた状態のままで消防士が担いで、例えばホースｈを自身の肩の上に載せ手で押さえながら駆け足で火災現場を搬送することとなる。そして、巻回させたホースｈを伸ばして、ホースｈの端部に設けた前記の雄金具１０と雌金具２０とを前記のように次々に連結させてホースｈを接続させ、ホースｈを所要長さにして使用するようにしている。
【００１３】
ここで、コイル状に巻回させたホースｈと雄金具１０の外周から突出した円形状のフランジ部１２ｂとが接触する接触部は円弧状の接触になり、ホースｈと雄金具１０とが滑りやすい状態になっており、ホースｈをコイル状に巻回させた状態のままで搬送する場合等に、雄金具１０が巻回させたホースｈの間から滑り落ちて、コイル状に巻回させたホースｈの状態が崩れ、ホースｈを搬送させて伸ばしたり、ホースｈの端部に設けられた前記の雄金具１０と雌金具２０とを前記のように連結させてホースｈを接続させたりする作業に支障が生じる等の問題があった。
【００１４】
このため、特許文献１に示されるものにおいては、図３（Ａ），（Ｂ），（Ｃ）に示すように、前記のように雄金具１０における係合筒部１１の外周側に、雄金具１０と雌金具２０との連結を解除する解除リング１２を摺動可能に設けるにあたり、この解除リング１２における前記のフランジ部１２ｂにおいて、相対向する二箇所に外方に突出した張り出し部１２ｂ１を形成すると共に、前記の張り出し部１２ｂ１に直交する位置の外周に、前記の解除リング１２における筒部１２ａに外接するようにして直線又は前記の筒部１２ａより曲率半径が十分に大きい曲線になった切り欠き部１２ｂ２を形成したものを用いるようにしている。
【００１５】
そして、特許文献１に示されるものにおいては、図４（Ａ），（Ｂ）に示すように、このように雄金具１０における解除リング１２のフランジ部１２ｂに設けた切り欠き部１２ｂ２が、前記のようにコイル状に巻回させたホースｈの間に挟まれるようにし、ホースｈをコンパクトに巻回できると共に、フランジ部１２ｂにおける切り欠き部１２ｂ２とホースｈとの接触部分が従来の円弧状から直線又は曲率半径が十分に大きい曲線となることで、接触面積が大きくなって摩擦抵抗が増すと共に手で押さえた時の安定性も高まることから、雄金具１０がコイル状に巻回させたホースｈから脱落するのを防止するようにしたものが提案されている。
【００１６】
しかし、このように雄金具１０における解除リング１２のフランジ部１２ｂに設けた切り欠き部１２ｂ２が、コイル状に巻回させたホースｈの間に挟まれるようにした場合においても、前記のホースｈをコイル状に巻回させた状態のままで消防士が担いで火災現場に搬送する場合等に大きな衝撃が加わると、雄金具１０の上に被せるように配置させた雌金具２０側のホースｈが浮き上がって、雄金具１０における係合筒部１１の外周側に設けた解除リング１２が、前記の係合筒部１１の外周において勝手に回転して、フランジ部１２ｂにおける前記の張り出し部１２ｂ１がコイル状に巻回させたホースｈの間に位置するようになり、ホースｈが張り出し部１２ｂ１により持ち上げられて接触するようになり、フランジ部１２ｂとホースｈとの接触面積が小さくなり、雄金具１０がコイル状に巻回させたホースｈの間から脱落する等の問題を十分に解決することができなかった。
【先行技術文献】
【特許文献】
【００１７】
【特許文献１】特開２００９−２０７７０４号公報
【発明の開示】
【発明が解決しようとする課題】
【００１８】
本発明は、ホースの一端に筒状になった雄金具を設ける一方、接続させるホースの一端に筒状になった雌金具を設け、前記の雄金具と雌金具とを着脱可能に連結させるようにした消防用ホースに使用されるホースの継手金具における前記のような様々な問題を解決することを課題とするものである。
【００１９】
特に、本発明においては、前記の特許文献１に示されるように、雄金具における係合筒部の外周側に、雄金具と雌金具との連結を解除する解除リングを摺動可能に設けるにあたり、この解除リングにおける前記のフランジ部に直線又は曲率半径が十分に大きい曲線になった切り欠き部を形成し、このように雄金具における解除リングのフランジ部に設けた切り欠き部が、前記のようにコイル状に巻回させたホースの間に挟まれるようにした場合において、前記のホースをコイル状に巻回させた状態のままで消防士が担いで火災現場に搬送する場合等に大きな衝撃が加わり、雄金具の上に被せるように配置させた雌金具側のホースが浮き上がったとしても、雄金具における係合筒部の外周側に設けられた解除リングが、前記の係合筒部の外周において勝手に回転するのを防止し、雄金具がコイル状に巻回させたホースの間から脱落する等の問題を解決することを課題とするものである。
【課題を解決するための手段】
【００２０】
本発明におけるホースの継手金具においては、前記のような課題を解決するため、ホースの端部に設けられた雄金具と雌金具とを着脱可能に連結させるホースの継手金具において、前記の雄金具に前記の雌金具の内部に挿入させる筒状の係合筒部を設け、この係合筒部の挿入側端部に係合段部を設ける一方、前記の雌金具の内面側に前記の係合段部に係合される係合片を出没可能に設けると共に、前記の雄金具における係合筒部の外周側で摺動して係合段部に係合された雌金具の係合片を解除する解除リングとして、係合筒部の外周において係合段部との間で摺動する筒部における前記の係合段部と反対側にフランジ部を設け、このフランジ部に切り欠き部を設けたものを用い、前記の解除リングが前記の係合筒部の外周において回転するのを抑制する回転抑制手段を設けた。
【００２１】
そして、前記のように雄金具における係合筒部の外周側で摺動して係合段部に係合された雌金具の係合片を解除する解除リングにおいて、前記の筒部における係合段部と反対側におけるフランジ部に切り欠き部を設け、さらにこの解除リングが係合筒部の外周において回転するのを抑制する回転抑制手段を設けると、前記のように解除リングのフランジ部に設けた切り欠き部がコイル状に巻回させたホースの間に挟むようにした状態で大きな衝撃が加わり、雄金具の上に被せるように配置させた雌金具側のホースが浮き上がっても、前記の回転抑制手段により、解除リングが係合筒部の外周において勝手に回転するのが抑制される。
【００２２】
ここで、本発明におけるホースの継手金具において、前記のように解除リングが前記の係合筒部の外周において回転するのを抑制する回転抑制手段として、
第１の回転抑制手段としては、前記の係合筒部の外周面と解除リングの内周面との何れか一方に係合凸部を設け、他方に前記の係合凸部に係合される係合凹部とを設け、前記の係合凸部を係合凹部に係合させて、解除リングが勝手に回転するのを抑制させるようにすることができ、
第２の回転抑制手段としては、前記の係合筒部の外周面と解除リングの内周面とにそれぞれ係止部材挿入溝を対向するように設け、対向して設けられた前記の係止部材挿入溝内に係止用部材を挿入させて、解除リングが勝手に回転するのを抑制させるようにすることができ、
第３の回転抑制手段としては、前記の係合筒部と解除リングとに、前記の係合筒部と解除リングとを解除可能に係止させる仮係止部材を設け、このように設けた仮係止部材の係止によって解除リングが勝手に回転するのを抑制させるようにすることができ、
第４の回転抑制手段としては、前記の雄金具から前記の係合筒部に向けて回転抑制部材を、前記の解除リングにおける切り欠き部に対向するように突出させ、この回転抑制部材により切り欠き部を介して解除リングの回転を抑制させるようにすることができる。
【発明の効果】
【００２３】
本発明に係るホースの継手金具においては、前記のようにホースの端部に設けた雄金具と雌金具とを着脱可能に連結させるにあたり、雄金具における係合筒部の外周側で摺動して係合段部に係合された雌金具の係合片を解除する解除リングとして、係合筒部の外周において係合段部との間で摺動する筒部における前記の係合段部と反対側にフランジ部を設けたものを用い、フランジ部に切り欠き部を設けたため、前記の特許文献１のものと同様に、雄金具における解除リングのフランジ部に設けた切り欠き部が、コイル状に巻回させたホースの間に挟まれるようにすると、ホースをコンパクトに巻回できると共に、フランジ部における切り欠き部とホースとの接触面積が大きくなって摩擦抵抗が増し、雄金具がコイル状に巻回させたホースから脱落するのが防止される。
【００２４】
そして、本発明に係るホースの継手金具においては、前記の解除リングが係合筒部の外周において回転するのを抑制する回転抑制手段を設けたため、前記のように雄金具における解除リングのフランジ部に設けた切り欠き部が、コイル状に巻回させたホースの間に挟まれるようにした状態で、消防士が担いで火災現場に搬送する場合等に大きな衝撃が加わり、雄金具の上に被せるように配置させた雌金具側のホースが浮き上がったとしても、前記の解除リングが係合筒部の外周において勝手に回転するのが防止され、雄金具がコイル状に巻回させたホースの間から脱落したりするのが防止される。
【図面の簡単な説明】
【００２５】
【図１】従来のホースの継手金具において、雄金具と雌金具とを連結させた状態を示した半裁断面説明図である。
【図２】図１に示した従来のホースの継手金具において、雄金具と雌金具との連結を解除させたホースを長さ方向中央付近で二つに折り畳み、その折畳み部を中心としてコイル状に巻回し、雄金具の上に雌金具側のホースを被せるようにした状態を示し、（Ａ）は概略正面図、（Ｂ）は雄金具の上に雌金具側のホースを被せるようにした部分の概略断面図である。
【図３】特許文献１に示されるホースの継手金具に使用されている雄金具の状態を示し、（Ａ）は解除リングのフランジ部における切り欠き部が上に位置する状態の概略平面図、（Ｂ）は解除リングのフランジ部における切り欠き部が上に位置する状態の概略正面図、（Ｃ）は解除リングのフランジ部における切り欠き部が上に位置する状態の概略右側面図である。
【図４】特許文献１に示されるホースの継手金具において、雄金具と雌金具との連結を解除させたホースを長さ方向中央付近で二つに折り畳み、その折畳み部を中心としてコイル状に巻回し、解除リングのフランジ部における切り欠き部が巻回させたホースの間に挟まれるようにして、雄金具の上に雌金具側のホースを被せるようにした状態を示し、（Ａ）は概略正面図、（Ｂ）は雄金具の上に雌金具側のホースを被せるようにした部分の概略断面図である。
【図５】本発明の実施形態１におけるホースの継手金具に使用する雄金具において、解除リングの内周面に係合凸部を設けると共に、係合筒部の外周面に前記の係合凸部に係合する係合凹部を設けた状態を示し、（Ａ）は解除リングのフランジ部における切り欠き部が上に位置する状態の概略平面図、（Ｂ）は前記の（Ａ）に示したＸ−Ｘ線断面図である。
【図６】本発明の実施形態２におけるホースの継手金具に使用する雄金具において、解除リングの内周面に係合凹部を設けると共に、係合筒部の外周面に前記の係合凹部に係合する係合凸部を設けた状態を示し、（Ａ）は解除リングのフランジ部における切り欠き部が上に位置する状態の概略平面図、（Ｂ）は前記の（Ａ）に示したＸ−Ｘ線断面図である。
【図７】本発明の実施形態３におけるホースの継手金具に使用する雄金具において、係合筒部の外周面と解除リングの内周面とにそれぞれ係止部材挿入溝を対向するように設け、対向して設けられた係止部材挿入溝内に四角柱状になった係止用部材を挿入させた状態を示し、（Ａ）は解除リングのフランジ部における切り欠き部が上に位置する状態の概略平面図、（Ｂ）は前記の（Ａ）に示したＸ−Ｘ線断面図である。
【図８】前記の実施形態３におけるホースの継手金具に使用する雄金具において、対向して設けられた係止部材挿入溝内に丸棒状になった係止用部材を挿入させた変更例を示し、（Ａ）は解除リングのフランジ部における切り欠き部が上に位置する状態の概略平面図、（Ｂ）は前記の（Ａ）に示したＸ−Ｘ線断面図である。
【図９】本発明の実施形態４におけるホースの継手金具に使用する雄金具において、係合筒部における取付筒部側の端部の外周面に、解除リングのフランジ部に向けて第１の磁石部材を設けると共に、前記の第１の磁石部材と対向する解除リングのフランジ部の位置に第２の磁石部材を設けた場合において、（Ａ）は解除リングのフランジ部における切り欠き部が上に位置する状態において、解除リングを係合筒部における取付筒部側に摺動させて、解除リングのフランジ部に設けた第２の磁石部材を、係合筒部における取付筒部側の端部に設けた第１の磁石部材に磁着させて、係合筒部に解除リングを磁力によって係止させた状態を示した概略平面図、（Ｂ）は前記の（Ａ）の状態から解除リングを係合筒部における係合段部に向けて移動させた状態を示した概略平面図、（Ｃ）は前記の（Ａ）に示したＸ−Ｘ線断面図である。
【図１０】本発明の実施形態５におけるホースの継手金具に使用する雄金具において、係合筒部における取付筒部側の端部から、係合筒部の係合段部に向けて鉤型状に延出された回転抑制部材を、解除リングにおける張り出し部よりも突出量が少なくなった切り欠き部の部分に突出させた場合において、（Ａ）は解除リングのフランジ部における切り欠き部が上に位置する状態において、前記の回転抑制部材を解除リングにおける張り出し部よりも突出量が少なくなった切り欠き部に延出させて、解除リングが回転するのを回転抑制部材によって係止させた状態を示した概略平面図、（Ｂ）は前記の（Ａ）の状態から解除リングを係合筒部における係合段部に向けて移動させた状態を示した概略平面図、（Ｃ）は前記の（Ａ）に示したＸ−Ｘ線断面図である。
【発明を実施するための最良の形態】
【００２６】
以下、本発明の実施形態に係るホースの継手金具を添付図面に基づいて具体的に説明する。なお、本発明に係るホースの継手金具は、下記の実施形態に示したものに限定されず、発明の要旨を変更しない範囲において、適宜変更して実施できるものである。
【００２７】
ここで、本発明の実施形態においても、図１及び図２に示した従来におけるホースの継手金具と同様に、雄金具１０に設けた係合筒部１１の先端側における径大になった係合段部１１ａから係合筒部１１を雌金具２０の内部に挿入させ、前記の径大になった係合段部１１ａによって雌金具２０の内面に出没可能に設けられた前記の係合片２１をばね手段２２の弾力に抗して外方に押し広げ、前記の係合段部１１ａが雌金具２０の内部における前記の係合片２１の部分を通過して挿入された時点で、前記の係合片２１が前記のばね手段２２により内方に突出されて係合段部１１ａの後端における係合筒部１１に係合され、雄金具１０と雌金具２０とが連結されるようにし、またこのように雄金具１０と雌金具２０とを連結された状態で、前記の雌金具２０の内部に設けたパッキン２３により水密性を保持させるようにしている。さらに、前記の雌金具２０の外周には、ゴム製の緩衝用リング２４を装着させている。
【００２８】
そして、前記のように連結された雄金具１０と雌金具２０との連結を解除させるにあたっては、雄金具１０における係合筒部１１の外周側に摺動可能に設けた解除リング１２における前記のフランジ部１２ｂを雌金具２０側に向けて押し、この解除リング１２における前記の筒部１２ａを雌金具２０内に押し込んで、この筒部１２ａの先端部により、係合段部１１ａの後端における係合筒部１１に係合されていた前記の係合片２１をばね手段２２の弾力に抗して外方に押し広げ、これにより係合片２１を係合段部１１ａの後端における係合筒部１１から離脱させて、雄金具１０と雌金具２０との連結を解除するようにしている。
【００２９】
また、前記の雄金具１０と雌金具２０とを連結させる連結側とは反対側の端部においては、それぞれ外周に凹凸を有する取付筒部１５，２５を設け、各取付筒部１５，２５をそれぞれのホースｈの端部内に挿入させ、このように各取付筒部１５，２５を挿入させた各ホースｈの外周側にそれぞれ筒状になった口巻き布１６，２６を設けると共に、各口巻き布１６，２６を各固定用筒体１７，２７により外周側からに押さえ付けて、雄金具１０や雌金具２０における取付筒部１５，２５が挿入された前記の各ホースｈの端部を、前記の口巻き布１６、２６を介して雄金具１０や雌金具２０における各取付筒部１５，２５に取り付けるようにしている。
【００３０】
また、本発明の実施形態においては、前記の雄金具１０として、前記の特許文献１に示されるように、雄金具１０における係合筒部１１の外周側に、雄金具１０と雌金具２０との連結を解除する解除リング１２を摺動可能に設けるにあたって、この解除リング１２における前記のフランジ部１２ｂにおいて、相対向する二箇所に外方に突出した張り出し部１２ｂ１を形成すると共に、前記の張り出し部１２ｂ１に直交する位置の外周に、前記の解除リング１２における筒部１２ａに外接するようにして直線又は前記の筒部より曲率半径が十分に大きい曲線になるように切り欠き部１２ｂ２を形成したものを用いるようにしている。なお、前記のように解除リング１２におけるフランジ部１２ｂにおいて、張り出し部１２ｂ１や切り欠き部１２ｂ２を形成するにあたっては、特許文献１に記載されたものと同様に、解除リング１２におけるフランジ部１２ｂにおける張り出し部１２ｂ１や切り欠き部１２ｂ２の形状は特に限定されず、張り出し部１２ｂ１は、雌金具２０と雄金具１０との結合状態を解除するために、手作業により解除リング１２を雌金具２０の方向に押すことができる程度の大きさと形状を有しておればよく、切り欠き部１９は、解除リング１２における筒部１２ａに外接する直線状であることが好ましいが、前記の張り出し部１２ｂ１よりも曲率半径が十分に大きい直線に近い曲線であってもよい。
【００３１】
そして、本発明の実施形態においては、前記の雄金具１０における前記の解除リング１２が前記の係合筒部１１の外周において回転するのを抑制する回転抑制手段３０を設けるようにしている。
【００３２】
次に、雄金具１０における前記の解除リング１２が前記の係合筒部１１の外周において回転するのを抑制する前記の回転抑制手段３０の具体的な実施形態について説明する。
【００３３】
（実施形態１）
実施形態１においては、図５（Ａ），（Ｂ）に示すように、回転抑制手段３０として、前記の雄金具１０における解除リング１２の内周面の相対向する部分にそれぞれ内方に向けて一対の係合凸部３１を設けると共に、前記の係合筒部１１の外周面の相対向する部分に、前記の解除リング１２の内周面に設けた一対の係合凸部３１に係合する一対の係合凹部３２を設け、解除リング１２の内周面に設けた係合凸部３１を、係合筒部１１の外周面に設けた係合凹部３２に係合させて、解除リング１２が係合筒部１１の外周において勝手に回転するのを抑制するようにしている。
【００３４】
そして、このように解除リング１２の内周面に設けた一対の係合凸部３１を係合筒部１１の外周面に設けた一対の係合凹部３２に係合させると、前記のように雄金具１０と雌金具２０との連結を解除させたホースｈをコイル状に巻回させ、雄金具１０における解除リング１２のフランジ部１２ｂに設けた切り欠き部１２ｂ２がコイル状に巻回させたホースｈの間に挟まれるようにした場合において、このように巻回させたホースｈを消防士が担いで火災現場に搬送する場合等に大きな衝撃が加わり、雄金具１０の上に被せるように配置させた雌金具２０側のホースｈが浮き上がったとしても、雄金具１０における係合筒部１１の外周側に設けた解除リング１２が、前記の係合筒部１１の外周において勝手に回転するのが防止され、雄金具１０がコイル状に巻回させたホースｈの間から脱落したりするのが抑制されるようになる。
【００３５】
なお、この実施形態１においては、解除リング１２の内周面の相対向する部分にそれぞれ内方に向けて一対の係合凸部３１を設けると共に、前記の係合筒部１１の外周面の相対向する部分にそれぞれ前記の一対の係合凸部３１に係合する一対の係合凹部３２を設けるようにしたが、前記の解除リング１２の内周面に設ける係合凸部３１と、係合筒部１１の外周面に設ける前記の係合凸部３１に係合する係合凹部３２とをそれぞれ１つ設けるだけであってもよい。
【００３６】
さらに、係合凸部３１の別実施例として、解除リング１２にネジ穴を形成して、そのネジ穴にボルトやピンを螺合させつつ、ボルトやピンの先端を解除リング１２の内周面から突出させた形態や、同様にボールプランジャの先端部分を突出させた形態も好適である。
【００３７】
（実施形態２）
実施形態２においては、図６（Ａ），（Ｂ）に示すように、回転抑制手段３０として、前記の雄金具１０における解除リング１２の内周面の相対向する部分にそれぞれ外方に向けて一対の係合凹部３２を設けると共に、前記の係合筒部１１の外周面の相対向する部分に、前記の解除リング１２の内周面に設けた一対の係合凹部３２に係合する一対の係合凸部３１を設け、解除リング１２の内周面に設けた一対の係合凹部３２に、係合筒部１１の外周面に設けた一対の係合凸部３１を係合させて、解除リング１２が係合筒部１１の外周において勝手に回転するのを抑制するようにしている。
【００３８】
そして、このように解除リング１２の内周面に設けた一対の係合凹部３２に係合筒部１１の外周面に設けた一対の係合凸部３１に係合させた場合においても、前記の実施形態１の場合と同様に、雄金具１０と雌金具２０との連結を解除させたホースｈをコイル状に巻回させ、雄金具１０における解除リング１２のフランジ部１２ｂに設けた切り欠き部１２ｂ２がコイル状に巻回させたホースｈの間に挟まれるようにした場合において、このように巻回させたホースｈを消防士が担いで火災現場に搬送する場合等に大きな衝撃が加わり、雄金具１０の上に被せるように配置させた雌金具２０側のホースｈが浮き上がったとしても、雄金具１０における係合筒部１１の外周側に設けた解除リング１２が、前記の係合筒部１１の外周において勝手に回転するのが防止され、雄金具１０がコイル状に巻回させたホースｈの間から脱落したりするのが抑制されるようになる。
【００３９】
なお、この実施形態２においては、解除リング１２の内周面の相対向する部分にそれぞれ外方に向けて一対の係合凹部３２を設けると共に、前記の係合筒部１１の外周面の相対向する部分にそれぞれ前記の一対の係合凹部３２に係合する係合凸部３１を設けるようにしたが、前記の解除リング１２の内周面に設ける係合凹部３２と、係合筒部１１の外周面に設ける前記の係合凹部３２に係合する係合凸部３１とをそれぞれ１つ設けるだけであってもよい。
【００４０】
（実施形態３）
実施形態３においては、図７（Ａ），（Ｂ）に示すように、回転抑制手段３０として、前記の雄金具１０における解除リング１２の内周面の相対向する部分にそれぞれ外方に向けて一対の係止部材挿入溝３３を設けると共に、前記の係合筒部１１の外周面の相対向する部分にそれぞれ内方に向けて、前記の解除リング１２の内周面に設けた一対の係止部材挿入溝３３と対向するように一対の係止部材挿入溝３３を設け、解除リング１２の内周面に設けた一対の係止部材挿入溝３３と係合筒部１１の外周面に設けた一対の係止部材挿入溝３３とが対向して形成された一対の空間部分にそれぞれ四角柱状になった係止用部材３４を挿入させて、解除リング１２が係合筒部１１の外周において勝手に回転するのを抑制するようにしている。
【００４１】
そして、このように解除リング１２の内周面に設けた一対の係止部材挿入溝３３と係合筒部１１の外周面に設けた一対の係止部材挿入溝３３とが対向して形成される一対の空間部分にそれぞれ四角柱状になった係止用部材３４を挿入させた場合にも、前記の実施形態１、２の場合と同様に、雄金具１０と雌金具２０との連結を解除させたホースｈをコイル状に巻回させ、雄金具１０における解除リング１２のフランジ部１２ｂに設けた切り欠き部１２ｂ２がコイル状に巻回させたホースｈの間に挟まれるようにした場合において、このように巻回させたホースｈを消防士が担いで火災現場に搬送する場合等に大きな衝撃が加わり、雄金具１０の上に被せるように配置させた雌金具２０側のホースｈが浮き上がったとしても、雄金具１０における係合筒部１１の外周側に設けた解除リング１２が、前記の係合筒部１１の外周において勝手に回転するのが防止され、雄金具１０がコイル状に巻回させたホースｈの間から脱落したりするのが抑制されるようになる。
【００４２】
なお、この実施形態３においては、解除リング１２の内周面に設けた一対の係止部材挿入溝３３と係合筒部１１の外周面に設けた一対の係止部材挿入溝３３とが対向して形成される一対の空間部分にそれぞれ四角柱状になった係止用部材３４を挿入させるようにしたが、解除リング１２の内周面に設ける係止部材挿入溝３３と係合筒部１１の外周面に設ける係止部材挿入溝３３とを対向するようにして１つの空間部分に、四角柱状になった１つの係止用部材３４を挿入させるようにするだけであってもよい。
【００４３】
また、この実施形態３においては、解除リング１２の内周面に設けた一対の係止部材挿入溝３３と係合筒部１１の外周面に設けた一対の係止部材挿入溝３３とが対向して形成される一対の空間部分にそれぞれ四角柱状になった係止用部材３４を挿入させるようにしたが、解除リング１２の内周面に設けた係止部材挿入溝３３と係合筒部１１の外周面に設けた係止部材挿入溝３３とが対向して形成される空間部分に挿入させる係止用部材３４の形状は特に限定されず、解除リング１２が係合筒部１１の外周において勝手に回転するのを抑制するようになっていればよく、例えば、図８（Ａ），（Ｂ）に示すように、解除リング１２の内周面に設けた一対の係止部材挿入溝３３と係合筒部１１の外周面に設けた一対の係止部材挿入溝３３とが対向して形成される一対の空間部分にそれぞれ丸棒状になった係止用部材３４を挿入させるようにしてもよい。
【００４４】
（実施形態４）
実施形態４においては、図９（Ａ），（Ｂ），（Ｃ）に示すように、回転抑制手段３０として、前記の雄金具１０において、前記の係合筒部１１におけるホースｈを取り付ける取付筒部１５側の端部の外周面における相対向する部分に、それぞれ前記の解除リング１２のフランジ部１２ｂに向けて、解除可能に係止させる仮係止部材の一例である一対の第１の磁石部材３５ａを設けると共に、前記の解除リング１２のフランジ部１２ｂにおいて、前記の係合筒部１１における取付筒部１５側の端部の外周面に設けた一対の第１の磁石部材３５ａと対向する位置に一対の第２の磁石部材３５ｂを設けている。
【００４５】
そして、雄金具１０を雌金具２０から離間させて、図９（Ａ）に示すように、前記の解除リング１２を前記の係合筒部１１において第１の磁石部材３５ａが設けられた取付筒部１５側に摺動させ、この解除リング１２のフランジ部１２ｂにおいて、前記の第１の磁石部材３５ａと対向するようにして設けられた第２の磁石部材３５ｂを、前記の第１の磁石部材３５ａに磁着させて、係合筒部１１に解除リング１２を磁力によって係止させるようにしている。
【００４６】
ここで、このように前記の係合筒部１１に設けられた第１の磁石部材３５ａと解除リング１２のフランジ部１２ｂに設けられた第２の磁石部材３５ｂとを磁着させて、係合筒部１１に解除リング１２を磁力によって係止させるようにすると、前記の実施形態１〜３の場合と同様に、雄金具１０と雌金具２０との連結を解除させたホースｈをコイル状に巻回させ、雄金具１０における解除リング１２のフランジ部１２ｂに設けた切り欠き部１２ｂ２がコイル状に巻回させたホースｈの間に挟まれるようにした場合において、このように巻回させたホースｈを消防士が担いで火災現場に搬送する場合等に大きな衝撃が加わり、雄金具１０の上に被せるように配置させた雌金具２０側のホースｈが浮き上がったとしても、雄金具１０における係合筒部１１の外周側に設けた解除リング１２が、前記の係合筒部１１の外周において勝手に回転するのが防止され、雄金具１０がコイル状に巻回させたホースｈの間から脱落したりするのが抑制されるようになる。
【００４７】
また、この実施形態４において、前記の雄金具１０と雌金具２０とが連結させた状態にある場合において、雄金具１０と雌金具２０との連結を解除させるにあたっては、解除リング１２のフランジ部１２ｂに設けられた第２の磁石部材３５ｂが係合筒部１１に設けられた第１の磁石部材３５ａに磁着された状態から、図９（Ｂ）に示すように、前記の解除リング１２を第１の磁石部材３５ａと第２の磁石部材３５ｂとの磁力に抗して、解除リング１２を前記の係合筒部１１における係合段部１１ａに向けて移動させ、前記のように解除リング１２における筒部１２ａを雌金具２０内に押し込んで、雄金具１０と雌金具２０との連結を解除させるようにすることができる。
【００４８】
ここで、この実施形態４において、係合筒部１１に設ける第１の磁石部材３５ａや、解除リング１２に設ける第２の磁石部材３５ｂの位置や数は特に限定されず、係合筒部１１と解除リング１２とを磁力によって係止させることができるようになっていればよく、図示していないが、前記の第１の磁石部材３５ａを係合筒部１１におけるホースｈを取り付ける取付筒部１５側の端部の外周面全周に設けると共に、これに対向するようにして第２の磁石部材３５ｂを解除リング１２のフランジ部１２ｂの全周に設けるようにしたり、第１の磁石部材３５ａを係合筒部１１の外周面に設けると共に、これに対向するようにして解除リング１２の内周面に第２の磁石部材３５ｂを設けるようにすることもできる。
【００４９】
さらに磁石部材３５ｂと同様に仮係止手段として作用する、面ファスナーやボタン、フック等も採用することが可能である。
【００５０】
（実施形態５）
実施形態５においては、図１０（Ａ），（Ｂ），（Ｃ）に示すように、回転抑制手段３０として、前記の雄金具１０において、前記の係合筒部１１におけるホースｈを取り付ける取付筒部１５側の端部における相対向する部分に、それぞれ係合筒部１１の係合段部１１ａに向けて鉤型状に延出された一対の回転抑制部材３６を、前記の解除リング１２における張り出し部１２ｂ１よりも突出量が少なくなったそれぞれの切り欠き部１２ｂ２に対向するように突出させるようにしている。
【００５１】
ここで、この実施形態５においては、図１０（Ａ）に示すように、前記の解除リング１２が前記の係合筒部１１の取付筒部１５側に位置する状態から、図１０（Ｂ）に示すように、解除リング１２が前記の係合筒部１１の係合段部１１ａに導かれた場合においても、前記の一対の回転抑制部材３６が、前記の解除リング１２における各切り欠き部１２ｂ２に対向するように位置するようにし、解除リング１２が係合筒部１１の取付筒部１５側の位置から勝手に前記の係合筒部１１の係合段部１１ａの位置に移動した場合においても、前記の一対の回転抑制部材３６により前記の解除リング１２における各切り欠き部１２ｂ２が押さえられて、解除リング１２が係合筒部１１の外周において勝手に回転するのが抑制されるようにしている。
【００５２】
そして、このように係合筒部１１におけるホースｈを取り付ける取付筒部１５側の端部から係合筒部１１の係合段部１１ａに向けて鉤型状に延出された一対の回転抑制部材３６を、前記の解除リング１２における張り出し部１２ｂ１よりも突出量が少なくなったそれぞれの切り欠き部１２ｂ２に対向するように突出させた場合にも、前記の実施形態１〜４の場合と同様に、雄金具１０と雌金具２０との連結を解除させたホースｈをコイル状に巻回させ、雄金具１０における解除リング１２のフランジ部１２ｂに設けた切り欠き部１２ｂ２がコイル状に巻回させたホースｈの間に挟まれるようにした場合において、このように巻回させたホースｈを消防士が担いで火災現場に搬送する場合等に大きな衝撃が加わり、雄金具１０の上に被せるように配置させた雌金具２０側のホースｈが浮き上がったとしても、雄金具１０における係合筒部１１の外周側に設けた解除リング１２が、前記の係合筒部１１の外周において勝手に回転するのが防止され、雄金具１０がコイル状に巻回させたホースｈの間から脱落したりするのが抑制されるようになる。
【００５３】
なお、この実施形態５においては、係合筒部１１におけるホースｈを取り付ける取付筒部１５側の端部における相対向する部分に、それぞれ係合筒部１１の係合段部１１ａに向けて鉤型状に延出された一対の回転抑制部材３６を、前記の解除リング１２における張り出し部１２ｂ１よりも突出量が少なくなったそれぞれの切り欠き部１２ｂ２の部分に突出させるようにしたが、前記の回転抑制部材３６を１つ設け、この１つの回転抑制部材３６を解除リング１２における張り出し部１２ｂ１よりも突出量が少なくなった一方の切り欠き部１２ｂ２の部分に突出させるようにするだけであってもよい。
【符号の説明】
【００５４】
１０      ：雄金具
１１      ：係合筒部
１１ａ    ：係合段部
１２      ：解除リング
１２ａ    ：筒部
１２ｂ    ：フランジ部
１２ｂ１  ：張り出し部
１２ｂ２  ：切り欠き部
１５      ：取付筒部
１６      ：口巻き布
１７      ：固定用筒体
１９      ：切り欠き部
２０      ：雌金具
２１      ：係合片
２２      ：ばね手段
２３      ：パッキン
２４      ：緩衝用リング
２５      ：取付筒部
２６      ：口巻き布
２７      ：固定用筒体
３０      ：回転抑制手段
３１      ：係合凸部
３２      ：係合凹部
３３      ：係止部材挿入溝
３４      ：係止用部材
３５ａ    ：第１の磁石部材（仮係止部材）
３５ｂ    ：第２の磁石部材（仮係止部材）
３６      ：回転抑制部材
ｈ        ：ホース
【図１】
2020069092.tif 000003
【図２】
2020069092.tif 000004
【図３】
2020069092.tif 000005
【図４】
2020069092.tif 000006
【図５】
2020069092.tif 000007
【図６】
2020069092.tif 000008
【図７】
2020069092.tif 000009
【図８】
2020069092.tif 000010
【図９】
2020069092.tif 000011
【図１０】
2020069092.tif 000012